【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
座部及び背もたれ部を有する椅子本体と、
前記座部の側方に備わった肘掛け部と、
前記肘掛け部に載せた被施療者の手を内部に入れることができるように前記肘掛け部から立設されたトンネル状支持体と、
前記トンネル状支持体の内面に設けられて膨張・収縮するマッサージ用エアセルと、
を備え、
前記マッサージ用エアセルは、膨張することにより、前記肘掛け部に載せた被施療者の手を左右の両側から当該肘掛け部に押し付け可能であることを特徴とするマッサージ機。
【請求項２】
前記マッサージ用エアセルは、前記肘掛け部に載せた被施療者の手の小指側に位置する外側エアセルと、当該手の親指側に位置する内側エアセルとである請求項１に記載のマッサージ機。
【請求項３】
前記エアセルは、下部が前記トンネル状支持体の内側における左右の側面に取り付けられ、上部が自由に膨張できる請求項１又は２に記載のマッサージ機。
【請求項４】
前記肘掛け部に設けられ当該肘掛け部に載せた被施療者の手に対して指圧子を介して振動マッサージを施す振動発生装置と、
膨張することで前記振動発生装置を上方へ押し上げるエアセルと、を備えていることを特徴とする請求項１〜３のいずれか一項に記載のマッサージ機。
【請求項５】
前記トンネル状支持体は、トンネル状の外側部材と、前記外側部材の内側であって当該外側部材との間に空間を保って設けられた内側部材と、を備え、
前記マッサージ用エアセルは、前記内側部材に取り付けられ、
前記外側部材と前記内側部材との間の空間は、前記マッサージ用エアセルへ空気を供給するための配管が設置される配管用空間であることを特徴とする請求項１〜４のいずれかに記載のマッサージ機。
【請求項６】
前記トンネル状支持体は、前後移動可能に設けられていることを特徴とする請求項１〜５のいずれかに記載のマッサージ機。
【請求項７】
前記肘掛け部は、前記背もたれ部が後方に倒れると連動して後方移動し、前方に起きあがると連動して前方移動するように設けられ、
前記肘掛けの前記前後移動によって前記トンネル状支持体が前後移動することを特徴とする請求項６記載のマッサージ機。
【請求項８】
前記トンネル状支持体は、その前後方向長さが、被施療者の手首より先だけが内部に位置する程度に設定されており、前記マッサージ用エアセルが手のひら又は手の甲のマッサージ用とされていることを特徴とする請求項１〜７のいずれかに記載のマッサージ機。
【請求項９】
前記トンネル状支持体は、前記肘掛け部の前端よりも後方の位置に設けられ、前記肘掛け部の上面の前端は、下方に傾斜した下方傾斜面となっている請求項１〜８のいずれか一項に記載のマッサージ機。
【請求項１０】
肘掛け部を有する椅子型のマッサージ機であって、
左右にわたってアーチ状に形成された支持体の内側に取り付けられ、空気の給排によって膨張収縮し前記肘掛け部にある被施療者の手を下方へ押圧するマッサージ用エアセルと、
空気の給排によって膨張収縮し前記肘掛け部にある被施療者の手を上方へ押圧するマッサージ用エアセルと、を備え、
これら両エアセルによって被施療者の手を包み込むようにして当該手の上側及び下側をともに押圧することを特徴とするマッサージ機。
【請求項１１】
肘掛け部を有する椅子型のマッサージ機であって、
肘掛け部の上方に、空気の給排によって膨張収縮するエアセルを備え、
前記エアセルは、下方へ膨張することにより、前記肘掛け部に載せた手を左右の両側から前記肘掛け部に押し付けるように設けられていることを特徴とするマッサージ機。
【請求項１２】
椅子の肘掛け部に装着して用いられる手用マッサージ具であって、
前記肘掛け部に装着されて、当該肘掛け部に載せた被施療者の手を内部に入れることができるトンネル状支持体と、
前記トンネル状支持体の内面に設けられ、膨張・収縮することで手に対するマッサージを行うエアセルと、
を備え、
前記エアセルは、膨張することにより、前記肘掛け部に載せた被施療者の手を左右の両側から当該肘掛け部に押し付け可能であることを特徴とする手用マッサージ具。
【請求項１３】
肘掛け部を有する椅子型マッサージ機の前記肘掛け部に載せた手を、空気の給排によって膨張収縮するエアセルによって左右の両側から前記肘掛け部に押し付けることを特徴とするマッサージ方法。
【手続補正２】
【補正対象書類名】明細書
【補正対象項目名】全文
【補正方法】変更
【補正の内容】
【発明の詳細な説明】
【発明の名称】マッサージ機、手用マッサージ具、及びマッサージ方法
【技術分野】
【０００１】
本発明は、マッサージ機、マッサージ具及びマッサージ方法に関するものである。
【背景技術】
【０００２】
マッサージ機には、空気の給排により膨張・収縮するエアセルを備えた空気式のものが存在する。エアセルは、椅子の背もたれ部、座部、又は脚載部に配置されるのが一般的である。
特許文献１には、空気によって伸縮する蛇腹状の伸縮筒を肘掛け上部に配置したものが記載されている。この場合、被施療者の手を上方に押圧することになる。
【特許文献１】特公昭４４−１３６３８号公報（第４図）
【発明の開示】
【発明が解決しようとする課題】
【０００３】
手は、胴体に比べて軽いため、肘掛けから上方に向けて押圧すると、手が上方に逃げて十分なマッサージ感が得られないことがある。
そこで、本発明の課題は、手を確実にマッサージすることにある。
【課題を解決するための手段】
【０００４】
本発明は、座部及び背もたれ部を有する椅子本体と、前記座部の側方に備わった肘掛け部と、前記肘掛け部に載せた被施療者の手を内部に入れることができるように前記肘掛け部から立設されたトンネル状支持体と、前記トンネル状支持体の内面に設けられて膨張・収縮するマッサージ用エアセルと、を備え、前記マッサージ用エアセルは、膨張することにより、前記肘掛け部に載せた被施療者の手を左右の両側から当該肘掛け部に押し付け可能であることを特徴とするマッサージ機である。肘掛け部にトンネル状支持体が設けられているため、手を簡単にトンネル状支持体内部にいれることができる。そして、トンネル状支持体の内部に入れられた手に対してトンネル状支持体内面に設けられたエアセルによってマッサージを行うため、手の逃げが防止され、手を確実にマッサージすることができる。
【０００５】
前記マッサージ用エアセルは、前記肘掛け部に載せた被施療者の手の小指側に位置する外側エアセルと、当該手の親指側に位置する内側エアセルとであるのが好ましい。
【０００６】
前記エアセルは、下部が前記トンネル状支持体の内側における左右の側面に取り付けられ、上部が自由に膨張できるのが好ましい。
【０００７】
前記肘掛け部に設けられ当該肘掛け部に載せた被施療者の手に対して指圧子を介して振動マッサージを施す振動発生装置と、膨張することで前記振動発生装置を上方へ押し上げるエアセルと、を備えているのが好ましい。
【０００８】
また、前記トンネル状支持体は、前後方向両側が開口しており、後方の開口から手を挿入可能であって、前方の開口から指先を出すことが可能であるのが好ましい。この場合、指先をトンネル状支持体の前方から出すことができるため、指先が自由となって拘束感を低減させることができる。
また、前記マッサージ用エアセルは、膨張することにより手を前記肘掛け部に押し付け可能であるのが好ましい。トンネル状支持体の内面から肘掛け部に押し付けるようにマッサージすることで、簡単な構成で手の逃げを防止でき確実なマッサージが行える。
前記肘掛け部には、前記マッサージ用エアセルによって押し付けられた手に対して指圧を行う指圧子が設けられているのが好ましい。エアセルによる押付力を利用して指圧を行うことで、手に対する効果的な指圧が行える。
前記肘掛け部には、前記マッサージ用エアセルによって押し付けられた手に対して振動マッサージを施す振動発生装置が設けられているのが好ましい。エアセルによって押し付けられたときに振動を発生すると振動が効率よく手に伝達され、振動マッサージ効果が高まる。
【０００９】
前記トンネル状支持体は、トンネル状の外側部材と、前記外側部材の内側であって当該外側部材との間に空間を保って設けられた内側部材と、を備え、前記マッサージ用エアセルは、前記内側部材に取り付けられ、前記外側部材と前記内側部材との間の空間は、当該マッサージ用エアセルへ空気を供給するための配管が設置される配管用空間であるのが好ましい。この場合、エアセルへの配管を通すためのスペースがトンネル状支持体内に確保できる。
【００１０】
前記トンネル状支持体は、前後移動可能に設けられているのが好ましい。トンネル状支持体が前後移動可能であれば、被施療者の所望の位置等に適宜位置を変更することができる。
トンネル状支持体は、肘掛け部に対して相対移動可能であってもよいし、トンネル状支持体が設けられた肘掛け部が、座部に対して相対移動可能であってもよい。
【００１１】
より具体的には、前記肘掛け部は、前記背もたれ部が後方に倒れると連動して後方移動し、前方に起きあがると連動して前方移動するように設けられ、前記肘掛けの前記前後移動によって前記トンネル状支持体が前後移動するのが好ましい。背もたれ部が後方に倒れると、手の位置も後方になるため、背もたれ部の起伏（リクライニング）に連動して肘掛け部を前後移動させることで、背もたれ部のリクライニングにかかわらずマッサージ位置を略一定に保つことができる。
【００１２】
前記トンネル状支持体は、その前後方向長さが、被施療者の手首より先だけが内部に位置する程度に設定されており、前記マッサージ用エアセルが手のひら又は手の甲のマッサージ用とされているのが好ましい。
また、前記トンネル状支持体は、前記肘掛け部の前端よりも後方の位置に設けられ、前記肘掛け部の上面の前端は、下方に傾斜した下方傾斜面となっているのが好ましい。
【００１３】
また、本発明は、肘掛け部を有する椅子型のマッサージ機であって、左右にわたってアーチ状に形成された支持体の内側に取り付けられ、空気の給排によって膨張収縮し前記肘掛け部にある被施療者の手を下方へ押圧するマッサージ用エアセルと、空気の給排によって膨張収縮し前記肘掛け部にある被施療者の手を上方へ押圧するマッサージ用エアセルと、を備え、これら両エアセルによって被施療者の手を包み込むようにして当該手の上側及び下側をともに押圧することを特徴とする。
他の観点からみた本発明は、肘掛け部を有する椅子型のマッサージ機であって、肘掛け部の上方に、空気の給排によって膨張収縮するエアセルを備え、前記エアセルは、下方へ膨張することにより、前記肘掛け部に載せた手を左右の両側から前記肘掛け部に押し付けるように設けられていることを特徴とする。エアセルが肘掛け部に向かって下方へ膨張して、手を肘掛け部に押し付けることで、肘掛け部によって手の逃げを防止しつつエアセルによる押圧が行える。
【００１４】
手用マッサージ具に係る本発明は、椅子の肘掛け部に装着して用いられる手用マッサージ具であって、前記肘掛け部に装着されて、当該肘掛け部に載せた被施療者の手を内部に入れることができるトンネル状支持体と、前記トンネル状支持体の内面に設けられ、膨張・収縮することで手に対するマッサージを行うエアセルと、を備え前記エアセルは、膨張することにより、前記肘掛け部に載せた被施療者の手を左右の両側から当該肘掛け部に押し付け可能であることを特徴とする手用マッサージ具。この場合、トンネル状支持体に設けられたエアセルによって手を逃がすことなく、確実にマッサージを行える。
【００１５】
マッサージ方法に係る他の本発明は、肘掛け部を有する椅子型マッサージ機の前記肘掛け部に載せた手を、空気の給排によって膨張収縮するエアセルによって左右の両側から前記肘掛け部に押し付けることを特徴とする。この場合、手を肘掛け部に押し付けるため、手の逃げを防止できる。
【発明を実施するための最良の形態】
【００１６】
以下、本発明の実施形態を図面に基づいて説明する。
図１は、椅子型のマッサージ機１を示している。この椅子型マッサージ機１は、座部２と、座部２の後部に配置された背もたれ部３と、座部の前部に配置された脚載部４と、を有する椅子本体５を具備している。
【００１７】
座部２は、その上面（座面）２ａが、前側ほど高くなるように傾斜した前方上向き傾斜面とされており、被施療者が深く腰掛け易くなっている。
背もたれ部３は、その下部位置を回動中心３ａとして、リクライニング可能に構成されており、図１の位置から後方に倒したり、倒れた状態から前方に起こして図１の位置に復帰させることができる。リクライニングは、電動モータや流体シリンダなどの図示しないリクライニング駆動部によって行われる。なお、背もたれ部３は、図２のように完全に起きた状態で、やや後方傾斜している。
【００１８】
脚載部４は、上下回動可能に構成されており、図１の実線で示す下向きの位置から前方に回動させて、図１の点線で示す略水平位置になるまで上昇させたり、上昇した状態から後方に回動させて下向きの位置に復帰させることができる。脚載部４の回動も、電動モータや流体シリンダなどの図示しないリクライニング駆動部によって行われる。
【００１９】
背もたれ部３を後方に倒し、脚載部４を上昇させると、背もたれ部３から脚載部４までの範囲が略フラットになり、被施療者は横臥状態をとることができる。座部２、背もたれ部３、脚載部４のいずれか又は全部には、マッサージ具（図示省略）が配置されており、着座状態又は横臥状態の被施療者にマッサージを施すことができる。マッサージ具としては、モータによって駆動される揉み玉や、空気の給排によって膨張収縮するエアセルなど様々なものを採用できる。
【００２０】
座部２の左右両側には、肘掛け部７，７が配置されており、被施療者は、手を肘掛け部７，７に載せてリラックスすることができる。肘掛け部７は、その後部が背もたれ部３の左右側面に取り付けられており、座部２の左右両側方位置において前方に延設されている。肘掛け部７は、その後部が背もたれ部３内部において背もたれ部としての骨格をなす背もたれフレーム（図示省略）に対して枢着されており、左右方向の軸９まわりに回動自在である。つまり、肘掛け部７は、その後部が回動基部となっている。一方、肘掛け部７の前部は、他所に取り付けられておらず、回動自由端となっている。
したがって、肘掛け部７は、回動基部（軸９）を中心に回動することができ、図１及び図２のようにその前部が略前方を向いた状態や、図３のように、その前部が上方に向くように後方に回動して起き上がった状態をとることができる。なお、左右の肘掛け部７，７は、それぞれ独立して回動可能であるが、両者７，７が一体的に回動してもよい。また、一方の肘掛け部７だけが回動可能であってもよい。
【００２１】
回動基部（軸９）を中心とした肘掛け部７の後方回動の範囲は、図１及び図２のように、肘掛け部７が座部２の側方に位置している状態（＝第１位置）から、図３のように肘掛け部７が（起き上がった）背もたれ部３の側方に位置している状態（＝第２位置）に制限されている。
【００２２】
第１位置が、肘掛け部７の通常の使用位置である。第１位置にある肘掛け部７には、被施療者が手を載せることができる。一方、肘掛け部７が邪魔な場合や、被施療者が座部２の側方から着座又は離座したい場合（以下、座部側方からの着座又は離座を「側方着離座」という）には、図３に示すように、肘掛け部７を第２位置まで回動させることで、座部２の側方に側方着離座にとって邪魔な肘掛け部７が存在しない状態となり、被施療者は楽に側方着離座を行うことができる。
【００２３】
図４及び図５に示すように、自由端である肘掛け部７の前部は、ガイド機構１１によって支持されており、このガイド機構１１が、背もたれ部３のリクライニングに連動した肘掛け部７の移動をガイドしている。
ガイド機構１１は、座部２の側部に設けられたガイド体１２と、当該ガイド体１２によってガイドされるように肘掛け部７に設けられた被ガイド部１３と、を有して構成されている。なお、肘掛け部７は、自重によって前部が下方回動するように設けられているため、肘掛け部７を自重に逆らって持ち上げない限り、ガイド体１２と被ガイド部１３との接触は自然に維持される。また、肘掛け部７は、自重によって前部が下方回動するのに代えて又は加えて、バネ等の付勢具によって下方回動するように付勢されていてもよい。
【００２４】
ガイド体１２は、座部２の左右両側部位置に設けられたサイドカバー部１４の上部に配置されており、座部上面２ａよりも低い位置に設けられたローラによって構成されている。ローラ１２は、座部２を支持するための座部フレーム（図示省略）に取り付けられており、前記サイドカバー１４によってローラ上部だけが上方に露出するように覆われている。なお、ローラ１２は、左右の軸心まわりに回転自在である。
【００２５】
被ガイド部１３は、肘掛け部７の下部に設けられており、ローラ１２に当接する当接ガイド面１３ａを有している。図４及び５の状態では、肘掛け部７は、その自重によって当接ガイド面１３ａがローラ１２に当接している。当接ガイド面１３ａがローラ１２に当接することで、肘掛け部７が第１位置（図４及び図５の状態）からさらに下方回動するのが規制されている。つまり、ローラ１２は、肘掛け部７を下方から支えている。
【００２６】
図６のように、背もたれ部３を後方に倒すと、軸９を介して背もたれ部３に取り付けられている肘掛け部７は、前部が前方を向いたまま背もたれ部３に引っ張られて後方に移動する。このとき、肘掛け部７は、背もたれ部３に対して回動自在であり、肘掛け部７の前部は、ローラ１２によって前後動自在に支持されているだけであるため、肘掛け部７の後方移動は妨げられない。
また、背もたれ部３が倒れることで、軸９の位置も下方に移動するため、肘掛け部７は全体的に（特に、後側が）下方にも移動する。
【００２７】
肘掛け部７が背もたれ部３に対して回動自在でない場合には、背もたれ部３に対する肘掛け部７の角度が維持されるため、背もたれ部３が後方に倒れた場合、肘掛け部３が大きく上向きとなってしまい、手を肘掛け７に置きにくくなる。これに対し、本実施形態では、肘掛け部７が背もたれ部３に対して回動自在であるため、背もたれ部３が後方に倒れると、背もたれ部３に対する肘掛け部７の角度が開いて、肘掛け部７が前方を向いたままの状態が維持される。
【００２８】
被ガイド部１３は、後側が上下に厚肉であり、前側が薄肉となっており、当接ガイド面１３ａは、前方上向きに傾斜している。このため、肘掛け部７が後方移動して、当接ガイド面１３ａの前部がローラ１２と当接すると、肘掛け部７の前部がやや下がり、横臥状態において、被施療者が手を置き易くなる。
肘掛け部７の上面７ａは、前後移動の全範囲において、常に座部上面２ａよりも上方に位置している。このため、被施療者は、着座状態であっても横臥状態であっても適切な状態で手をおくことができる。
【００２９】
図７〜図１２は、左右の肘掛け部７にそれぞれ設けられた手用マッサージ具２０を示している。なお、手用マッサージ具２０は、一方の肘掛け部７だけに設けられていても良い。
このマッサージ具２０は、手首よりも先の部分（ｈａｎｄ）をマッサージするのに適したものであり、特には、手首より先であって指を除く部分をマッサージするのに適したものであり、肘掛け部７に載せた手を入れることができるトンネル状の支持体２２を有している。なお、マッサージ具２０を手首よりも肩側の部位へのマッサージ用としてもよい。
【００３０】
トンネル状支持体２２は、肘掛け部７の幅方向両側に位置して肘掛け部７上方に延びる側面部２４と、肘掛け部７の上方で左右の側面部２４，２４を繋ぐ上面部２５と、を備えている。支持体上面部２５は、肘掛け部上面７ａとの間に手を入れることができる程度の高さに配置されている。また、左右の側面部２４の間の間隔は、それらの間に手を入れることができる程度に設定されている。ここでは、側面部２４と上面部２５とは連続した円弧形状として形成されて支持体２２全体がアーチ状となっており、両者２４，２５の境界がはっきりしないが、両者２４，２５の境界がわかるような形状であってもよい。
【００３１】
支持体２２は、前後方向（肘掛け部７の長手方向）両側２７，２８が開口しており、後側の開口２７から手を支持体２２内側に挿入させることができ、前側の開口２８から挿入した手（指先）を出すことができる。支持体２２は、手の甲（手のひら）がその内部に位置し、手首よりも肩側及び指先は、支持体２２外に位置する程度の前後方向長さに設定されており、手の甲又は手のひらをマッサージするのに適した大きさとなっている。
また、支持体２２は、肘掛け部７に手を置いたときに手の甲又は手のひらがくる位置、すなわち肘掛け部７の前部に取り付けられている。
【００３２】
支持体２２は、肘掛け部７の前端よりもやや後方に位置して支持体２２の前側開口２８から出した指先を肘掛け部上面７ａに載せることが可能となっている。また、前側開口２８から出た指の指関節を内側に曲げることができるようなっている。つまり、肘掛け部７の上面７ａの前端は、下方に傾斜した下方傾斜面７ｂとなっており、下方傾斜面に指を置くことで指を曲げてリラックスした状態で手のひら又は手の甲へのマッサージを受けられるようになっている。
また、肘掛け部７の前端に、下方傾斜面７ｂがなくとも、支持体２２内部に手のひら又は手の甲を位置させつつ、指を前側開口２８から出した場合に、指の根元位置を載せることができ、かつ肘掛け部７前端よりも指先が前方に位置するように支持体２２の位置が設定されていれば、指を曲げることはできる。
いずれの場合でも、指が曲げられる位置に支持体２２が設けられていることで、リラックスした状態で手へのマッサージが受けられる。
【００３３】
支持体２２は、外側に位置する外側部材３０と、当該外側部材３０よりも内側に位置する内側部材３１との組み合わせによる内外２重構造となっている。
外側部材３０は、樹脂又は金属などの硬質の材料によって形成されている。また、外側部材３０は、アーチ状に形成されており、マッサージ具２０の最表面に位置する部材であるため化粧カバーとしての機能を持っている。また、外側部材３０は、マッサージ具２０全体を肘掛け部７へ取り付けるための取付部材としての機能を持っており、外側部材３０の下部３０ａ，３０ｂは肘掛け部７の下部へ向けて内側に延設されており、これらの下部３０ａ，３０ｂがネジなどの固定具（図示省略）によって肘掛け部７に固定される。
【００３４】
内側部材３１は、樹脂又は金属などの硬質の材料によって形成されており、外側部材３０との間に空間が形成されるように配置されており、その両下端が外側部材３０の内面に取り付けられている。アーチ状の内側部材３１の内面には、空気の給排によって膨張収縮して手を押圧するエアセル３３，３４，３５が設けられている。エアセルとしては、内側部材３１の頂部付近に取り付けられた第１エアセル（上エアセル）３３と、内側部材３１の左右の側面付近に取り付けられた第２エアセル（側部エアセル）３４，３５とが備わっている。
【００３５】
図１０に示すように、第１エアセル３３は、下方に向けて膨張するように設けられており、手を下方に押圧することができる。第２エアセル３４，３５は、第１エアセル３３と一部重複して配置されており、下部が取付具（ネジ、ピン等）によってそれぞれ内側部材３１に取り付けられている。第２エアセル３４，３５の上部は内側部材３１に取り付けられておらず膨張自由端となっている。このため、第２エアセル３４，３５は、下部より上部の方が大きく膨張する。なお、第２エアセル３４，３５のエアセル側部は、膨張量が大きくなるように蛇腹状に形成されている。第２エアセル３４，３５は、手を左右から下方に押圧することができる。また、図１０に示すように、第１エアセル３３と第２エアセルとを同時に膨張させると、下方への押圧量を大きくすることができる。
【００３６】
なお、以下では、支持体２２に挿入された手の小指側に位置する第２エアセル３４を外側エアセルといい、親指側に位置する第２エアセル３５を内側エアセルということもある。
【００３７】
支持体２２は、肘掛け部７の幅方向両側に位置する左右の側面部２４を介して肘掛け部７に取り付けられているため、エアセル３４，３５が下方に向けて膨張して手を押圧する際に、支持体２２に対し上向きの反力が作用しても、その反力に耐えるのに適した構造となっている。
【００３８】
各エアセル３３，３４，３５には、空気配管３９が接続されている。空気配管３９は、エアセルの膨張背面（上側；内側部材３１との対向面側）に接続されており、内側部材３１に形成された第１挿通孔４０を通って、支持体２２の内部空間（外側部材３０と内側部材３１との間の空間；配管用空間）４１に通されている。各配管３９は、配管用空間４１を通って、肘掛け部７の近傍まで延びている。さらに、各配管３９は、内側部材３１の肘掛け部７近傍に形成された第２挿通孔４２を通って配管用空間４１から引き出され、肘掛け部７に形成された第３挿通孔４３を通って肘掛け部７内部に通されている。肘掛け部７内部には、配管用空間４４が形成されており、各配管３９は、肘掛け部内部空間４４を通って後方に延びている。肘掛け部回動軸９付近まで延設された配管３９は、当該軸９近傍で肘掛け部７外に出ていく。回動軸９近傍で配管３９を肘掛け部７外に出すことで肘掛け部回動による配管の移動量が小さくなる。
【００３９】
肘掛け部７外に出た配管３９は、背もたれ部３の側面から背もたれ部３下部に引き回され、座部２下方に配置された空気給排装置４６に接続される。なお、配管３９を座部下方へ導くには、配管３９を肘掛け部７の回動軸９近傍から背もたれ部３内部に通して、当該背もたれ部３内部から座部下方２まで延ばしてもよい。
【００４０】
空気給排装置４６には、椅子本体５の座部２、背もたれ部３、又は脚載部４に設けられたマッサージ用エアセル（図示省略）に繋がる配管（図示省略）も接続されており、各エアセルに対する空気の給排を行って、当該エアセルを膨張収縮させる。また、空気給排装置４６は、制御装置（図示省略）によって制御されており、当該制御装置によって、各エアセルの膨張収縮の仕方を制御することができる。
【００４１】
肘掛け部上面７ａのうち、支持体２２によって形成されたトンネルの底面となる範囲には、手に振動マッサージを施すための振動発生装置４８が設けられている。この振動発生装置４８は、肘掛け部上面７ａが凹状形成され、肘掛け部内部に埋設されている。振動発生装置４８は、肘掛け部上面７ａに対して突出する指圧子４９を備えており、支持体２２内部に入れられた手には、この指圧子４９を介して振動が局所的に伝えられる。図９に示すように、指圧子４９は、肘掛け部７の左右幅方向中央位置に対して左右方向に偏って配置されている。具体的には、肘掛け部７の左右幅方向中央位置に対して座部２寄りの位置（左手用の肘掛け部７であれば右側；右手用の肘掛け部７であれば左側）に偏倚して配置されている。指圧子４９が中央位置に対して座部２寄りに偏倚していることで、手のひらにある経穴である「労宮」乃至その近傍（手のひらの親指寄りの範囲）を確実に指圧することができる。
【００４２】
なお、手の広い範囲にまんべんなく振動を与えたい場合には、指圧子４９はなくともよい。また、指圧子４９は、振動が発生していないときにも、手に指圧を施すことができる。
【００４３】
図１１及び図１２に示すように、支持体２２によって形成されたトンネルの底面となる肘掛け部上面７ａには、手のひらが下向きにして載置される。このように肘掛け部上面７ａは、略平坦な手のひら載置面となっている。手のひら載置面７ａの上方に間隔をおいて配置されている内側部材３１（支持体２２）に設けられているエアセル３３，３４，３５が下方へ向けて膨張すると（図１２参照）、当該エアセル３３，３４，３５は手の甲に当接して手（ハンド）を手のひら載置面７ａに押し付けながら押圧マッサージを行う。手を載置面７ａに押し付けながらマッサージするため、手の逃げが防止される。
エアセル３３，３４，３５によって手を下方へ押圧することで、肘掛け部上面７ａとの間との間で手を上下から挟んでマッサージすることができる。すなわち、手の上下方向挟持マッサージが行える。
【００４４】
手のひら載置面７ａ側には指圧子４９が突設されているため、エアセル３３，３４，３５（特にエアセル３３）が、手を手の甲側から手のひら載置面７ａに押し付けると、指圧子４９が手のひらに押し付けられ、手のひら、特に「労宮」、に対する効果的な指圧が施される。また、手が手のひら載置面７ａ側に押し付けられているときに振動発生装置４８を作動させると、振動を効果的に手に伝えることができ、振動マッサージ効果が高まる。
【００４５】
また、左右の第２エアセル３４，３５は、左右から下方に向けて膨張するため、手の甲を手のひら載置面７ａに押し付けながら手の甲の左右両部位に対する押圧マッサージをすることができる。また、左右のエアセル３４，３５は、下部を膨張基部３７，３７として膨張するため丸みを帯びている手の甲表面に対してフィットした状態でエアセルを膨張させることができる。
【００４６】
第１エアセル３３と第２エアセル３４，３５とは同時に膨張・収縮させてもよいし、片方ずつ膨張・収縮させてもよい。また、左右の第２エアセル３４，３５も同時に膨張・収縮させてもよいし、片方ずつ膨張収縮させてもよい。
【００４７】
具体的には、以下のような膨張収縮パターンを実行できる。なお、以下の膨張収縮パターンは、マッサージ機の制御部によって制御される。
【００４８】
（パターン１）
（１）第１エアセル３３を膨張させる。
（２）第２エアセル３４，３５を膨張させる。
（３）第１エアセル３３を収縮させる。
（４）第１エアセルを再び膨張させる。
（５）第２エアセル３４，３５を収縮させる。
（６）第１エアセル３３を収縮させる。
【００４９】
パターン１の場合、（１）（２）で手の甲を下方に押圧した後、（３）で第１エアセル３３を収縮させることで、左右の第２エアセル３４，３５が上方に移動する。このとき、左右の第２エアセル３４，３５が手を挟む状態となり、手を挟むマッサージが行われる。この挟みマッサージは、人の一方の手のひらを他方の手の甲の上にクロス状において一方の手のひらで他方の手の甲をマッサージするようなマッサージに類似している。このように、パターン１に含まれる動作によれば、人手による手の甲マッサージに類似したマッサージを行える。
また、（３）で第１エアセルを再度膨張させると、挟み状態が解除され、（３）（４）を繰り返すと、挟みと挟み解除を繰り返すことができる。
【００５０】
（パターン２）
（１）第１エアセル３３を膨張させる。
（２）第２エアセル３４，３５のうち内側エアセル３５を膨張させる。
（３）第２エアセル３４，３５のうち外側エアセル３４を膨張させる。
（４）外側エアセル３５を収縮させる。
（５）第１エアセル３３及び内側エアセル３４を収縮させる。
【００５１】
パターン２の場合、手の甲の内側（親指側）から押圧することで、手の甲の内側にある経穴（ツボ）を刺激することができる。手の甲の内側には、上半身に効くツボがあり、上半身のマッサージ（背もたれ部３に設けられたマッサージ具によるマッサージ）と同時に（並列的に）実行することで上半身を効果的に治療することができる。また、上半身を施療するマッサージコースがマッサージ機に備わっている場合、上半身用のマッサージコース実行中に手の甲の内側へのマッサージを実行することで、コース全体として上半身への施療効果が高まる。
【００５２】
（パターン３）
（１）第１エアセル３３を膨張させる。
（２）第２エアセル３４，３５のうち外側エアセル３４を膨張させる。
（３）第２エアセル３４，３５のうち内側エアセル３５を膨張させる。
（４）内側エアセル３４を収縮させる。
（５）第１エアセル３３及び外側エアセル３５を収縮させる。
【００５３】
パターン３の場合、手の甲の外側（小指側）から押圧することで、手の甲の外側にある経穴（ツボ）を刺激することができる。手の甲の外側には、下半身に効くツボがあり、下半身のマッサージ（座部２又は脚載部４に設けられたマッサージ具によるマッサージ）と同時に（並列的に）実行することで下半身を効果的に治療することができる。また、下半身を施療するマッサージコースがマッサージ機に備わっている場合、下半身用のマッサージコース実行中に手の甲の外側へのマッサージを実行することで、コース全体として下半身への施療効果が高まる。
【００５４】
以上のように、手の甲を押圧するエアセル３４，３５を内側と外側に分け、各エアセル３４，３５を個別に膨張させることで、手の甲の片側だけを押圧することができる。手の甲の片側だけを押圧すると、全体を押圧する場合に比べて、局所感が生じ、ツボを効果的に刺激できる。
また、手の片側だけを押圧しても、支持体２２は、肘掛け部７の左右に側面部２４を有しているため、側方への手の逃げが防止されている。
【００５５】
手用マッサージ具２０は、手のひら又は手の甲をマッサージできるように、肘掛け部７の先端部に設けられているが、肘掛け部７は、背もたれ部３を後方に倒したときに連動して後方へ移動するため、手用マッサージ具２０も後方へ移動することになる。したがって、背もたれ部３を倒して被施療者が横臥状態となっているときでも、被施療者は、手用マッサージ具２０によって手（ハンド部）に対するマッサージを受けることができる。このように、肘掛け部７自体が前後移動可能であれば、手用マッサージ具２０を肘掛け部７に位置固定的に設けても、肘掛け部７を前後移動させることで、マッサージ具２０の前後位置を調整することができる。なお、マッサージ具２０を肘掛け部７に対して前後移動可能に設けても良い。
【００５６】
図１３及び図１４は、マッサージ具２０の変形例を示している。このマッサージ具２０は、内側部材３１に左右のエアセル５１，５２を備えており、内側部材３１の頂部において、エアセル５１，５２の上部が取付具５４によって取り付けられており、エアセル５１，５２の下部は膨張自由端となっている。図１３に示すように、エアセル５１，５２が膨張すると、手（手の甲）を下方に押し付けながら左右から挟むようにマッサージする。したがって、手の逃げを防止しながら手を左右から挟持してマッサージすることができる。
【００５７】
図１５は、マッサージ具２０の他の変形例を示している。なお、図１５以降では、空気配管などの細部は省略して描かれているが、特に説明しない限り、記述のマッサージ具２０と同様の構成を有している。
図１５のマッサージ具２０は、左右の第２エアセル３４，３５がそれらの自由端同士が重なるように構成されている。第２エアセル３４，３５同士が重なる位置には第１エアセル３３も重なっており、これらのエアセル３３，３４，３５が重なる位置の膨張量が大きくなるように構成されている。このため、手の甲の左右中央部に対する押圧力が強くなって強いマッサージを施すことができる。
【００５８】
図１６は、マッサージ具２０の他の変形例を示している。このマッサージ具２０は、第１エアセル３３を具備しない代わりに、肘掛け部７側に第３エアセル３６を備えている。第３エアセル３６は、振動発生装置４８（指圧子４９）の下側に配置されており、膨張することで、振動発生装置４８（指圧子４９）を上方に押し上げる。
振動発生装置４８（指圧子４９）が上方移動することで、肘掛け部上面７ａに対する突出量が大きくなるため、振動発生装置４８（指圧子４９）を下方から手に押し付けながら振動マッサージ又は指圧を効果的に施すことができる。なお、第３エアセル３６の収縮時において、肘掛け部上面７ａよりも振動発生装置４８（指圧子４９）が下方に位置するように配置してもよい。
【００５９】
第３エアセル３３は、肘掛け部上面７ａ、すなわち、振動発生装置４８（指圧子４９）の上側に設けられていてもよい。この場合、第３エアセル３３は、専ら手を上方に押圧する機能を果たし、第２エアセル３４，３５による下方押圧と第３エアセル３６による上方押圧を同時に行うことで、手の上下方向挟持マッサージが行える。しかも、手の上側及び下側が、ともにエアセル３４，３５，３６によって押圧されるため手が包み込まれるようなマッサージ感が得られる。
【００６０】
図１７は、マッサージ具２０の他の変形例を示している。このマッサージ具２０は、図１３及び図１４に示すマッサージ具２０におけるエアセル５１，５２の背後にさらにエアセル５６，５７をそれぞれ配置したものである。エアセル５６，５７は、エアセル５１，５２による膨張を補助しており、全体として膨張量を大きくして手を強力に挟み込めるように構成されている。
【００６１】
図１８は、マッサージ具２０の他の変形例を示している。このマッサージ具２０は、図９及び図１０に示すマッサージ具２０における第１エアセル３３を左右に分割した第１エアセル６０，６１を設けたものである。左右の第１エアセル６０，６１を同時に膨張させると、第１エアセル３３と同様に機能する他、左右の第１エアセル６０，６１を個々に膨張させると、第２エアセル３４，３５による手の甲の片側のマッサージを個別補助でき、片側マッサージの押圧力を個別に高めることができる。
また、左右の第２エアセル３４を同時に膨張させて手の甲を押圧させているときに、左右の第１エアセルのいずれかを膨張・収縮させることで、手の甲の外側に対する押圧力と内側に対する押圧力に差が生じ、手の甲の片側に対するマッサージ感が生じる。
【００６２】
図１９は、マッサージ具２０の他の変形例を示している。このマッサージ具２０は、エアセルとして、内側部材３１の内面略全体の広さに相当する大きさのエアセル６３と、その背後に配置されたエアセル６４とを備えている。エアセル６３は、手を全体的に包むように下方へ押圧する。また、エアセル６４は、左右方向中央位置に配置されており、下方への押圧を補助して、左右方向中央位置の膨張量を大きくしている。
【００６３】
図２０は、マッサージ具２０の他の変形例を示している。このマッサージ具２０は、エアセルとして、内側部材３１の内面略全体の広さに相当する大きさのエアセル６３を備えて、手を全体的に包むように下方へ押圧する。また、他のエアセルとして、左右に分離したエアセル６５，６５も備えており、手の左右方向挟持マッサージや、手の甲の片側マッサージを行える。
【００６４】
なお、エアセルとしては、内側部材３１（支持体２２）と別体である必要はなく、内側部材３１（支持体２２）内面と、当該内側部材３１（支持体２２）内面に張り付けられた布体とによって囲まれた空間に空気が給排されることによって前記布体が膨張・収縮するものであってもよい。
また、支持体２２の前後方向長さは、任意に設定できる。マッサージ部位も手のひらや手の甲に限られず、指又は手首より肩側の範囲もマッサージできるものであってもよい。
また、支持体２２に設けられるエアセルの配置・数は、適宜変更可能である。
【図面の簡単な説明】
【００６５】
【図１】椅子型マッサージ機の斜視図である。
【図２】椅子型マッサージ機の側面図である。
【図３】肘掛け部を上方に回動させた状態の椅子型マッサージ機の側面図である。
【図４】ガイド機構を示す側面図である。
【図５】図５のＡ−Ａ線断面図である。
【図６】背もたれ部を後方に倒した状態の椅子型マッサージ機の側面図である。
【図７】手用マッサージ具の側面図である。
【図８】手用マッサージ具の内部を示す図である。
【図９】手用マッサージ具の断面図である。
【図１０】エアセル膨張状態の手用マッサージ具の断面図である。
【図１１】手用マッサージ具の使用状態（エアセル収縮）を示す斜視図である。
【図１２】手用マッサージ具の使用状態（エアセル膨張）を示す斜視図である。
【図１３】変形例に係るマッサージ具の断面図である。
【図１４】変形例に係るマッサージ具（エアセル膨張）を示す断面図である。
【図１５】変形例に係るマッサージ具（エアセル膨張）を示す断面図である。
【図１６】変形例に係るマッサージ具（エアセル膨張）を示す断面図である。
【図１７】変形例に係るマッサージ具（エアセル膨張）を示す断面図である。
【図１８】変形例に係るマッサージ具（エアセル膨張）を示す断面図である。
【図１９】変形例に係るマッサージ具（エアセル膨張）を示す断面図である。
【図２０】変形例に係るマッサージ具（エアセル膨張）を示す断面図である。
【符号の説明】
【００６６】
１  マッサージ機
２  座部
３  背もたれ部
４  脚載部
５  椅子本体
７  肘掛け部
７ａ  肘掛け部上面(手のひら載置面）
２０  手用マッサージ具
２２  トンネル状支持体
２７  後側開口
２８  前側開口
３０  外側部材（外殻）
３１  内側部材（内殻）
３３  上エアセル
３４  左エアセル
３５  右エアセル
３９  空気配管
４１  配管用空間
４６  空気給排装置
４８  振動発生装置
４９  指圧子